(57)【要約】【課題】支軸の揺動復帰を確実にする支軸機構を提供する。【解決手段】内筒の最内端の仕切板１６の外面側に突設されたばね掛軸１７に支軸ばね１８を弾装し、一方、レバータンブラーを支持する支軸２をその両端に突設された偏芯軸３の回りを揺動可能に支承し、他方、支軸ばね１８の他端部を支軸２に下方から係合させると共に、支軸ばね１８の他端部に支軸２方向に突出する山形部１９を形成し、支軸２が支軸ばね１８の他端部を押し下げるように回動したとき、支軸２が山形部１９の傾斜部と係合するようにする。【選択図】  図７
2004316162.tif 000002
【特許請求の範囲】
【請求項１】
レバータンブラー錠の各レバータンブラーを、略Ｃ字形で相互に重合するタンブラーＡとタンブラーＢとを組合わせたものとする一方、支軸をその両端に突設した偏芯軸の軸線回りを回動できるように支承し、一端に開口した逃げ孔を支軸に遊嵌可能に係合させたタンブラーＡには合鍵の鍵溝との係合部を形成すると共に、これを合鍵と干渉する方向に付勢し、また、一端を支軸に回動自在に嵌合させたタンブラーＢの自由端部外側端縁に解錠切欠を形成すると共に、タンブラーＡの合鍵側端縁との係合部と重合する部分を合鍵と干渉しないように成形し、一方、タンブラーＡの自由端部内側縁部のタンブラーＢと対向する側に係合突起を、また、タンブラーＢの内側縁部には支軸を中心とする円弧上にタンブラーＡの係合突起と係合可能な係合凹部の複数を夫々形成すると共に、係合凹部の形成角度位置を、合鍵の側端縁に形成された複数種類の深さの鍵溝にタンブラーＡの係合部が夫々係合したとき、その係合突起と整合するように設定し、最内端の仕切板に弾装された支軸ばねのほぼ水平な他端部を、支軸にその下方から係合させることにより支軸を付勢するようにしたものにおいて、支軸ばねの他端部に支軸方向に突出する山形部を形成し、支軸が支軸ばねの他端部を押し下げるように回動したとき、支軸が山形部の傾斜部と係合するようにしたことを特徴とする可変レバータンブラー錠の支軸機構。
【発明の詳細な説明】
【０００１】
【発明が属する技術分野】
この発明は、可変レバータンブラー錠のタンブラー支軸機構（以下単に支軸機構という）に係り、特に、本出願人が先に提案した新規な可変レバータンブラー錠の作動を確実にする支軸機構に関する。
【０００２】
【従来の技術】
【特許文献１】特願２００１−３７９２６８
【特許文献２】特願２００２−０１４２７４
【特許文献３】特願２００２−１１３８６８
【特許文献４】特願２００２−１１９７８１
【特許文献５】特願２００２−１３１５６８
本出願人は、先に、上記特許文献１〜５を以て、新規な可変レバータンブラー錠を提案した。
【０００３】
これらの可変レバータンブラー錠は、レバータンブラー錠の各レバータンブラーを、略Ｃ字形で相互に重合するタンブラーＡとタンブラーＢとを組合わせたものとする一方、支軸をその両端に突設した偏芯軸の軸線回りを回動できるように支承し、一端を支軸に遊嵌させたタンブラーＡには合鍵の鍵溝との係合部を形成すると共に、これを合鍵と干渉する方向に付勢し、また、一端を支軸に回動自在に嵌合させたタンブラーＢの自由端部外側端縁に解錠切欠を形成すると共に、タンブラーＡの合鍵側端縁との係合部と重合する部分を合鍵と干渉しないように成形し、一方、タンブラーＡの自由端部内側縁部のタンブラーＢと対向する側に係合突起を、また、タンブラーＢの内側縁部には支軸を中心とする円弧上にタンブラーＡの係合突起と係合可能な係合凹部の複数を夫々形成すると共に、係合凹部の形成角度位置を、合鍵の側端縁に形成された複数種類の深さの鍵溝にタンブラーＡの係合部が夫々係合したとき、その係合突起と整合するように設定し、他方、支軸を外方に付勢する一方、内筒の内端部に、内筒の半径方向に移動可能で、外部から操作可能なスイッチ部材を支軸の外側からこれに当接可能に設けたものである。
【０００４】
そして、この発明を理解するためには、上記可変レバータンブラー錠の構造、特にその支軸機構を理解する必要があるが、その構造は上記各特許文献に記載されているので、ここでは簡単に説明する。
【０００５】
図１において符号１はレバータンブラーを示し、このレバータンブラー１を、略Ｃ字形で相互に重合するタンブラーＡ１ＡとタンブラーＢ１Ｂとを組合わせたものとする一方、図で上方に付勢された支軸２をその両端に突設した偏芯軸３（図２参照）の軸線回りを回動できるように支承する。
【０００６】
なお、図１においてタンブラーＢ１Ｂにハッチングを施したのはタンブラーＡ１Ａと紛れないようにしただけであって、実際にハッチングが施されているわけではない。図１においてはタンブラーＢ１Ｂが手前側に、タンブラーＡ１Ａはその裏側に配置されている。
【０００７】
また、図１に示すタンブラーＡ１ＡのＣ字形はその開口端が相互に接続されているが、これはタンブラーの剛性を高めるためであって、このようにＣ字形の開口端を接続したものもＣ字形の概念に含めるものとする。
【０００８】
一方、一端を縦長の逃げ孔４を介して支軸２に遊嵌させたタンブラーＡ１Ａには、合鍵５の鍵溝６との係合部７を形成すると共に、これを合鍵５と干渉する方向、図１では反時計方向に付勢し、また、一端を支軸に回動自在に嵌合させたタンブラーＢ１Ｂの自由端部外側端縁に解錠切欠８を形成すると共に、タンブラーＡ１Ａの合鍵側端縁との係合部７と重合する部分を合鍵と干渉しないように成形する。
【０００９】
他方、タンブラーＡ１Ａの自由端部内側縁部のタンブラーＢ１Ｂと対向する側に係合突起９を、また、タンブラーＢ１Ｂの内側縁部には支軸２を中心とする円弧上にタンブラーＡの係合突起９と係合可能な係合凹部１１の複数を夫々形成すると共に、係合凹部１１の形成角度位置を、合鍵５の側端縁に形成された複数種類の深さの鍵溝６にタンブラーＡの係合部が夫々係合したとき、その係合突起と整合するように設定する。
【００１０】
図１は一の合鍵を鍵孔に差込んだ状態を示し、したがって解錠切欠８がロッキングバー１２と角度的に整合している。
【００１１】
この状態で、図２及び図３に示すように、シリンダの内端側から変換ピン１３を挿入して、スイッチ部材１４及び支軸２の内端に嵌装されたスペーサリング１５を介して支軸２に矢印方向、すなわち下向きの力を印加すると、支軸２は偏芯軸３の中心軸ｃの回りを反時計方向に回動する。
【００１２】
なお、図１はタンブラー１をシリンダの内端側から見ているので、図１においては、支軸２は上記中心軸ｃの回りを時計方向に回動する。
【００１３】
その結果、支軸２はタンブラーＡ１Ａの一端に形成された前記縦長の逃げ孔４を遊嵌するので、タンブラーＡを図１の位置に残した状態でタンブラーＢ１１Ｂのみを下降させる（図示せず）。
【００１４】
図１から明らかなように、解錠切欠８とロッキングバー１２とは角度的に整合しているから、上記タンブラーＢ１Ｂの下降は可能であり、タンブラーＡ１Ａの係合突起９は係合凹部１１から抜き外される。
【００１５】
この状態では一の合鍵を抜くことができるので、一の合鍵を鍵孔から抜くと、タンブラーＡ１Ａはその付勢力により図１で反時計方向に回動するが（図示せず）、他の新たな合鍵を挿入することにより、タンブラーＡ１Ａは図１とは異なる新たな角度位置に迄回動する。
【００１６】
この状態で前記変換ピン１３（図３参照）を抜いて支軸２を元の位置に戻すと、タンブラーＢ１Ｂも連れ動いて図１に示す位置に戻り、このとき係合突起は新たな係合凹部と係合するに致り、タンブラーＡ１ＡとタンブラーＢ１Ｂとの係合の態様が前とは異なり、したがって鍵違いを変更することができるのである。
【００１７】
【発明が解決しようとする課題】
上記したように、支軸機構は鍵違いの変更の際支軸２が偏芯軸（支軸２から見て）の中心軸の回りを揺動する構造で、従来の支軸機構の一例を図４及び図５に示す。
【００１８】
すなわち、これらの図において符号１６は可変レバータンブラー錠の内筒内端における仕切板（図２及び図３参照）を示し、この仕切板１６の外面側に突設されたばね掛け軸１７に支軸２を付勢する捩りコイルばねとしての支軸ばね１８が弾装されている。
【００１９】
この支軸ばね１８の一端（図で下端）は図面を明瞭にするため付番しないばね掛け穴に係合しており、他端の直線部分を支軸２にその下方から当接させている。
【００２０】
そのため、支軸２は偏芯軸３の中心軸回りを回転モーメントＰｍで付勢されることになる。但し、Ｐは支軸ばね１８の弾力を示すベクトルの絶対値、ｍは偏芯軸３の中心からベクトルに下ろした垂線の長さである。
【００２１】
なお、実際の偏芯軸３は、図１乃至図３に示すように強度を保たせるため図４及び図５に示すものより太くなっており、その一部が支軸２の外周面によって削られているが、図４及び図５においては図面を明瞭にするため実際より細く描かれている。
【００２２】
また、これは幾何学から導かれることであるが、前記したように支軸２の偏芯軸３回りの回動によって支軸２の上下のストロークを最大にするため、図４及び図５においては、支軸２はその回動軸の回りを上方に４５度、下方に４５度合計９０度回動するように設計されているものとする。
【００２３】
上記のように構成された従来の支軸機構は、図２に示すようにスイッチ部材１４に外力が印加されていない待機状態（図１に示す状態）では、支軸ばね１８の他端は、図４に示すように、例えばほぼ水平な角度位置で支軸２を真上に持ち上げる態様で支軸２を付勢している。
【００２４】
この場合、支軸２を付勢する回転モーメントの所謂腕の長さｍは比較的大きく、支軸２は八の字形の付番しない受け部にしっかり当接して安定にその角度位置を保つ。
【００２５】
しかしながら、鍵違い変換のため変換ピン１３をシリンダ内筒の後端部から差し込み、支軸２を下げてタンブラーＢ１ＢをタンブラーＡ１Ａから切り離すとき、図５に示すように、支軸２と支軸ばね１８の接触点の角度位置が変化し、回転モーメントの腕の長さｍの値が小さくなる。
【００２６】
換言すれば、回転モーメントＰｍの値が小さくなり、鍵違い変換後変換ピン１３を抜いても支軸２が待機角度位置に戻り難くなる。場合によっては支軸ばね１８の弾力のベクトルが偏芯軸３の中心或いはそのごく近辺を通るようになり、この場合には変換ピンを抜いても支軸２が戻らなくなる。
【００２７】
この不都合を解消するため支軸ばね１８を太くして弾力を大きくした場合には、支軸ばねの応力が大きくなって早くへたるようになるし、また、弾力が大きくなるので、支軸ばね１８と支軸２との接触部が摩耗し易くなる、など別の不都合か生じる。
【００２８】
この発明は、支軸２の回動角度如何によらず支軸２に呈する回転モーメントが大きく変化しない支軸機構を提供し、以って上記した不都合を解消することを目的としている。
【００２９】
【課題を解決するための手段】
上記の目的を達成するため、この発明は、レバータンブラー錠の各レバータンブラーを、略Ｃ字形で相互に重合するタンブラーＡとタンブラーＢとを組合わせたものとする一方、支軸をその両端に突設した偏芯軸の軸線回りを回動できるように支承し、一端に開口した逃げ孔を支軸に遊嵌可能に係合させたタンブラーＡには合鍵の鍵溝との係合部を形成すると共に、これを合鍵と干渉する方向に付勢し、また、一端を支軸に回動自在に嵌合させたタンブラーＢの自由端部外側端縁に解錠切欠を形成すると共に、タンブラーＡの合鍵側端縁との係合部と重合する部分を合鍵と干渉しないように成形し、一方、タンブラーＡの自由端部内側縁部のタンブラーＢと対向する側に係合突起を、また、タンブラーＢの内側縁部には支軸を中心とする円弧上にタンブラーＡの係合突起と係合可能な係合凹部の複数を夫々形成すると共に、係合凹部の形成角度位置を、合鍵の側端縁に形成された複数種類の深さの鍵溝にタンブラーＡの係合部が夫々係合したとき、その係合突起と整合するように設定し、最内端の仕切板に弾装された支軸ばねのほぼ水平な他端部を、支軸にその下方から係合させることにより支軸を付勢するようにしたものにおいて、支軸ばねの他端部に支軸方向に突出する山形部を形成し、支軸が支軸ばねの他端部を押し下げるように回動したとき、支軸が山形部の傾斜部と係合するようにしたことを特徴とする。
【００３０】
【実施例】
以下、この発明の一実施例を図６及び図７を参照して説明する。
図６において符号１９は支軸ばね１８の他端部に形成された山形部を示し、この山形部１９は、支軸ばね１８の他端部の揺動軌跡と同じ平面、すなわち、支軸２に垂直な平面内で支軸２方向に突出するように、支軸ばねの他端部を折曲げ成形した支軸ばね１８の一部分である。
【００３１】
この山形部１９の支軸ばね他端部における形成位置及び形状は、図６に示すように支軸２が常態、すなわち鍵違い変換のために外力を受けない状態にあるとき、この山形部１９より自由端側の水平部分が支軸２に下方から当接するように、また、支軸２が鍵違い変換のため支軸ばねの他端部を押し下げるように回動し、図７に示すように下降したとき、支軸が山形部の傾斜部と係合するように設定されている。
【００３２】
上記のように構成されたこの発明の一実施例による支軸機構は、支軸２の常態角度位置、すなわち支軸２が図６に示す角度位置にあるときには、支軸ばね１８の支軸２に対する付勢の態様は図４に示す従来の支軸機構と変わらない。
【００３３】
それは、支軸ばね１８の他端部に山形部１９が形成されていても、その山形部１９は支軸ばねの他端部の長さを少し増大するだけで弾力Ｐの値にはほとんど影響を与えないし、また、支軸２に対し弾力Ｐのベクトルは従来の支軸機構と同様に例えば真上を向いているからである。
【００３４】
一方、鍵違いの変更のため支軸２が偏芯軸３の回りを反時計方向に例えば９０度回動し、図７に示す角度位置に至ると、支軸２は上記山形部１９の傾斜部と係合するようになる。
【００３５】
すると、支軸ばね１８の弾力を示すベクトルはその傾斜部に垂直な方向を向くようになるから、従来の支軸機構と比較して支軸２に作用する回転モーメントの所謂腕の長さも大きくなり（図７参照）、支軸２に対する支軸ばね１８の付勢力が格段に大きくなる結果、鍵違いを変更するときの支軸の復帰回動が確実に行われ、したがって可変レバータンブラー錠の作動が確実になる。
【００３６】
【発明の効果】
以上の説明から明らかなように、この発明は、支軸ばねの他端部に支軸方向に突出する山形部を形成し、支軸が支軸ばねの他端部を押し下げるように回動したとき、支軸が山形部の傾斜部と係合するようにしたので、支軸ばねの支軸に呈する弾力のベクトルの向きが変り、そのため支軸に及ぼす回転モーメントの所謂腕の長さが大きくなり、鍵違い変換のための支軸の揺動、特に復帰回動が確実に行われるようになる。
【００３７】
また、支軸ばねの外径を大きくしなくてもよいので、支軸ばねの曲げ応力を小さく押えることができ、支軸ばねの寿命を長くすることができる。
【００３８】
更にまた、構成が非常に簡単である、等種々の効果を奏する。
【図面の簡単な説明】
【図１】従来の可変レバータンブラー錠の一例を示す拡大横断面図。
【図２】スイッチ部材による支軸の駆動機構を示す拡大外観斜視図で、常態を示す。
【図３】図２と同様のスイッチ部材による支軸の駆動機構を示す拡大外観斜視図で、変換ピンによりスイッチ部材を駆動した状態を示す。
【図４】可変レバータンブラー錠の従来の支軸機構の正面図で、支軸が常態角度位置にある場合を示す。
【図５】可変レバータンブラー錠の従来の支軸機構の正面図で、鍵違い変換のため支軸が回動した状態を示す。
【図６】この発明の一実施例による可変レバータンブラー錠の支軸機構の正面図で、支軸が常態角度位置にある場合を示す。
【図７】この発明の一実施例による可変レバータンブラー錠の支軸機構の正面図で、鍵違い変換のため支軸が回動した状態を示す。
【符号の説明】
１  レバータンブラー
１Ａ  タンブラーＡ
１Ｂ  タンブラーＢ
２  支軸
３  偏芯軸
４  逃げ孔
５  合鍵
６  鍵溝
７  係合部
８  解錠切欠
９  係合突起
１１  係合凹部
１２  ロッキングバー
１３  変換ピン
１４  スイッチ部材
１５  スペーサリング
１６  仕切板
１７  ばね掛軸
１８  支軸ばね
１９  山形部
【図１】
2004316162.tif 000003
【図２】
2004316162.tif 000004
【図３】
2004316162.tif 000005
【図４】
2004316162.tif 000006
【図５】
2004316162.tif 000007
【図６】
2004316162.tif 000008
【図７】
2004316162.tif 000009